(57)【要約】【課題】データと地図情報を非同期に送信するデータ送信システムを提供する。【解決手段】本発明の中継器は、基地局からデータ及びデータに関連したデータ送信時刻情報を含む第１データフレームを受信し、基地局からデータに相応する地図情報及び地図情報に関連した地図情報送信時刻情報を含む第２データフレームを受信する受信部と、端末機にデータを送信するための第３データフレーム及び端末機に地図情報を送信するための第４データフレームをそれぞれ算出するデータフレーム算出部と、第３データフレーム及び第４データフレームが同じ場合、地図情報を用いてデータを端末機に送信する送信部と、を備える。【選択図】図２
2010532615.tif 000002
【特許請求の範囲】
【請求項１】
基地局からデータ及び該データに関連したデータ送信時刻情報を含む第１データフレームを受信し、前記基地局から前記データに相応する地図情報及び該地図情報に関連した地図情報送信時刻情報を含む第２データフレームを受信する受信部と、
端末機に前記データを送信するための第３データフレーム及び該端末機に前記地図情報を送信するための第４データフレームをそれぞれ算出するデータフレーム算出部と、
前記第３データフレーム及び前記第４データフレームが同じ場合、前記地図情報を用いて前記データを前記端末機に送信する送信部と、を備えることを特徴とする中継器。
【請求項２】
前記データフレーム算出部は、前記第１データフレーム又は前記データ送信時刻情報に基づいて前記第３データフレームを算出し、前記第２データフレーム又は前記地図情報送信時刻情報に基づいて前記第４データフレームを算出することを特徴とする請求項１に記載の中継器。
【請求項３】
前記地図情報は、前記第３データフレーム内で前記データの送信が開始される時刻、前記第３データフレーム内で前記データが送信される時間区間の長さ、及び前記端末機の識別子のうちの少なくとも１つを含むことを特徴とする請求項１に記載の中継器。
【請求項４】
前記データ送信時刻情報は、前記第３データフレームのフレーム番号に対する所定の長さの下位ビット（ＬＳＢ）を含むか、又は前記地図情報送信時刻情報は、前記第４データフレームのフレーム番号に対する所定の長さの下位ビット（ＬＳＢ）を含むことを特徴とする請求項１に記載の中継器。
【請求項５】
前記データ送信時刻情報は、前記第１データフレームを受信した時点と前記第３データフレームを送信する時点との間に前記端末機に送信されるデータフレームの数を含むか、又は前記地図情報送信時刻情報は、前記第２データフレームを受信した時点と前記第４データフレームを送信する時点との間に前記端末機に送信されるデータフレームの数を含むことを特徴とする請求項１に記載の中継器。
【請求項６】
前記第２データフレームはＭＡＣプロトコルデータユニット（ＭＰＤＵ）を含み、該ＭＡＣプロトコルデータユニット（ＭＰＤＵ）は前記地図情報を含むことを特徴とする請求項１に記載の中継器。
【請求項７】
前記第４データフレームは地図情報要素を含み、前記地図情報は該地図情報要素を用いて送信されることを特徴とする請求項１に記載の中継器。
【請求項８】
前記データ送信時刻情報又は前記地図情報送信時刻情報は、中継ＭＡＣヘッダ、サブヘッダ、又は拡張サブヘッダのうちの少なくともいずれか１つに含まれることを特徴とする請求項１に記載の中継器。
【請求項９】
前記データ送信時刻情報又は前記地図情報送信時刻情報は、前記それぞれのデータフレーム内の地図情報要素に含まれることを特徴とする請求項１に記載の中継器。
【請求項１０】
前記データは、第２中継器と前記端末機との間の無線リンクに対する第２地図情報を含み、
前記送信部は、前記第２地図情報に基づいて前記データを、前記第２中継器を経由して前記端末機に送信することを特徴とする請求項１に記載の中継器。
【請求項１１】
中継器と端末機との間の無線リンクに対する無線資源を割り当てる無線資源割当部と、
データ及び該データに関連したデータ送信時刻情報を含む第１データフレームを中継器に送信し、前記データに相応する地図情報及び該地図情報に関連した地図情報送信時刻情報を含む第２データフレームを中継器に送信する送信部と、を備え、
前記データは、前記地図情報に基づいて前記データ送信時刻情報に相応する第３データフレームに含まれて前記中継器から前記端末機に送信されることを特徴とする基地局装置。
【請求項１２】
前記地図情報は、前記第３データフレーム内で前記データの送信が開始される時刻、前記第３データフレーム内で前記データが送信される時間区間の長さ、及び前記端末機の識別子のうちの少なくとも１つを含むことを特徴とする請求項１１に記載の基地局装置。
【請求項１３】
前記第２データフレームはＭＡＣプロトコルデータユニット（ＭＰＤＵ）を含み、該ＭＡＣプロトコルデータユニット（ＭＰＤＵ）は前記地図情報を含むことを特徴とする請求項１１に記載の基地局装置。
【請求項１４】
前記データ送信時刻情報又は前記地図情報送信時刻情報は、中継ＭＡＣヘッダ、サブヘッダ、又は拡張サブヘッダのうちの少なくともいずれか１つに含まれることを特徴とする請求項１１に記載の基地局装置。
【請求項１５】
前記データ送信時刻情報又は前記地図情報送信時刻情報は、前記それぞれのデータフレーム内の地図情報要素に含まれることを特徴とする請求項１１に記載の基地局装置。
【請求項１６】
基地局装置からデータ及び該データに関連したデータ送信時刻情報を含む第１データフレームを受信するステップと、
前記基地局装置から前記データに相応する地図情報及び該地図情報に関連した地図情報送信時刻情報を含む第２データフレームを受信するステップと、
端末機に前記データを送信するための第３データフレームを算出するステップと、
前記端末機に前記地図情報を送信するための第４データフレームを算出するステップと、
前記第３データフレーム及び前記第４データフレームが同じ場合、前記地図情報を用いて前記データを前記端末機に送信するステップと、を有することを特徴とするデータ転送方法。
【請求項１７】
前記第３データフレームを算出するステップは、前記第１データフレーム又は前記データ送信時刻情報に基づいて前記第３データフレームを算出し、
前記第４データフレームを算出するステップは、前記第２データフレーム又は前記地図情報送信時刻情報に基づいて前記第４データフレームを算出することを特徴とする請求項１６に記載のデータ転送方法。
【請求項１８】
前記地図情報は、前記第３データフレーム内で前記データの送信が開始される時刻、前記第３データフレーム内で前記データが送信される時間区間の長さ、及び前記端末機の識別子のうちの少なくとも１つを含むことを特徴とする請求項１６に記載のデータ転送方法。
【請求項１９】
前記データ送信時刻情報は、前記第３データフレームのフレーム番号に対する所定の長さの下位ビット（ＬＳＢ）を含むか、又は前記前記第４データフレームのフレーム番号に対する所定の長さの下位ビット（ＬＳＢ）を含むことを特徴とする請求項１６に記載のデータ転送方法。
【請求項２０】
前記データ送信時刻情報は、前記第１データフレームを受信した時点と前記第３データフレームを送信する時点との間に前記端末機に送信されるデータフレームの数を含むか、又は前記地図情報送信時刻情報は、前記第２データフレームを受信した時点と前記第４データフレームを送信する時点との間に前記端末機に送信されるデータフレームの数を含むことを特徴とする請求項１６に記載のデータ転送方法。
【請求項２１】
前記第２データフレームはＭＡＣプロトコルデータユニット（ＭＰＤＵ）を含み、該ＭＡＣプロトコルデータユニット（ＭＰＤＵ）は前記地図情報を含むことを特徴とする請求項１６に記載のデータ転送方法。
【請求項２２】
前記第４データフレームは地図情報要素を含み、前記地図情報は該地図情報要素を用いて送信されることを特徴とする請求項１６に記載のデータ転送方法。
【請求項２３】
前記データ送信時刻情報又は前記地図情報送信時刻情報は、中継ＭＡＣヘッダ、サブヘッダ、又は拡張サブヘッダのうちの少なくともいずれか１つに含まれることを特徴とする請求項１６に記載のデータ転送方法。
【請求項２４】
前記データ送信時刻情報又は前記地図情報送信時刻情報は、前記それぞれのデータフレーム内の地図情報要素に含まれることを特徴とする請求項１６に記載のデータ転送方法。
【請求項２５】
請求項１６に記載のデータ転送方法を実行させるためのプログラムを記録したコンピュータ読み取り可能な記録媒体。
【発明の詳細な説明】
【技術分野】
【０００１】
本発明は、基地局から端末機までデータを送信する無線通信システムに関し、より詳細には、中継器（ｒｅｌａｙ）を経由してデータを送信するための中継システムに関する。
【背景技術】
【０００２】
無線通信網を介して、音声だけでなく映像通信やデータ通信などを利用しようとする需要が増加している。
【０００３】
基地局と端末機との間の無線リンクを介して送信されるデータの送信帯域幅は、無線リンクの状態によって決定される。無線リンクの状態は、フェーディング（ｆａｄｉｎｇ）現象などによって不安定である。また、基地局に接続した端末機に送信されるデータの帯域幅の増加により、１つの基地局と同時に通信することができる端末機の数が減少し、それぞれの基地局の受信領域（ｃｏｖｅｒａｇｅ）が減少する。
【発明の概要】
【発明が解決しようとする課題】
【０００４】
基地局から中継器を経由して端末機にデータを送信する中継システムが提案されている。中継システムは、データ送信モードによって、基地局から直接に端末機にデータを送信することもできるし、中継器を経由して端末機にデータを送信することもできる。中継システムは、基地局から端末機までの無線リンクと中継器から端末機までの無線リンクのうち、状態が良好な無線リンクを選択してデータを送信することができため、データ送信の効率が向上する。
【０００５】
中継システムは、中継器から端末機までの無線リンクに対して無線資源を割り当て、割り当てられた無線資源を用いてデータを送信する。割り当てられた無線資源に対する情報を含む地図情報（ｍａｐ  ｉｎｆｏｒｍａｔｉｏｎ）を予め端末機に送信すると、端末機は地図情報を用いてデータを受信する。
【０００６】
従来技術によれば、基地局は、データ及びデータに相応する地図情報を同じデータフレームを用いて中継器に送信する。データと地図情報は同期して送信されるため、容易にバインディング（ｂｉｎｄｉｎｇ）が起こる。中継器は、基地局からデータを受信したデータフレームのすぐ後に続くデータフレームに含めてデータ及び地図情報を端末機に送信する。
【０００７】
本発明は、基地局からデータとデータに相応する地図情報をそれぞれの送信時刻情報に基づいてバインディングし、地図情報を用いてデータを送信する中継器を提供することを目的とする。
また、本発明は、データとデータに相応する地図情報を非同期に送信する基地局装置を提供することを目的とする。
更に、本発明は、基地局からデータとデータに相応する地図情報とをそれぞれの送信時刻情報に基づいてバインディングし、地図情報を用いてデータを送信する転送方法を提供することを目的とする。
【課題を解決するための手段】
【０００８】
上記目的を達成するためになされた本発明の中継器は、基地局からデータ及び該データに関連したデータ送信時刻情報を含む第１データフレームを受信し、前記基地局から前記データに相応する地図情報及び該地図情報に関連した地図情報送信時刻情報を含む第２データフレームを受信する受信部と、端末機に前記データを送信するための第３データフレーム及び該端末機に前記地図情報を送信するための第４データフレームをそれぞれ算出するデータフレーム算出部と、前記第３データフレーム及び前記第４データフレームが同じ場合、前記地図情報を用いて前記データを前記端末機に送信する送信部と、を備えることを特徴とする。
【０００９】
上記目的を達成するためになされた本発明の基地局装置は、中継器と端末機との間の無線リンクに対する無線資源を割り当てる無線資源割当部と、データ及び該データに関連したデータ送信時刻情報を含む第１データフレームを中継器に送信し、前記データに相応する地図情報及び該地図情報に関連した地図情報送信時刻情報を含む第２データフレームを中継器に送信する送信部と、を備え、前記データは、前記地図情報に基づいて前記データ送信時刻情報に相応する第３データフレームに含まれて前記中継器から前記端末機に送信されることを特徴とする。
【００１０】
上記目的を達成するためになされた本発明のデータ転送（ｆｏｒｗａｒｄｉｎｇ  ｄａｔａ）方法は、基地局装置からデータ及び該データに関連したデータ送信時刻情報を含む第１データフレームを受信するステップと、前記基地局装置から前記データに相応する地図情報及び該地図情報に関連した地図情報送信時刻情報を含む第２データフレームを受信するステップと、端末機に前記データを送信するための第３データフレームを算出するステップと、前記端末機に前記地図情報を送信するための第４データフレームを算出するステップと、前記第３データフレーム及び前記第４データフレームが同じ場合、前記地図情報を用いて前記データを前記端末機に送信するステップと、を有することを特徴とする。
【００１１】
本発明の利点及び特徴、又はこれらを達成する方法は、詳細に後述する実施形態を参照することによって明確になるであろう。
【発明の効果】
【００１２】
本発明によれば、基地局からデータとデータに相応する地図情報とが非同期に送信された場合に、地図情報を用いてデータを端末機に送信することができる。
【図面の簡単な説明】
【００１３】
【図１】本発明の一実施形態による中継器を経由して端末機にデータを送信する中継システムを示す図である。
【図２】本発明の一実施形態による中継器の構成を示すブロック図である。
【図３】本発明の一実施形態による別個のデータフレームを用いてデータと地図情報を中継器に送信する動作を示す図である。
【図４】本発明の一実施形態による複数の中継器を経由してデータを送信する中継システムの動作を示す図である。
【図５】本発明の一実施形態による複数の中継器を経由してデータを送信する中継システムの動作を示す図である。
【図６】本発明の一実施形態による基地局装置の構成を示すブロック図である。
【図７】本発明の一実施形態による中継器を経由してデータを転送する方法を示すフローチャートである。
【発明を実施するための形態】
【００１４】
以下、添付図面を参照しながら、本発明の実施形態について詳しく説明する。
【００１５】
図１は、本発明の一実施形態による中継器を経由して端末機にデータを送信する中継システムを示す図である。
【００１６】
基地局１１０は、基地局１１０の受信領域１３０内に位置する端末機１２１、１２２、１２３にデータを送信する。受信領域１３０内に位置しない端末機１２４が基地局１１０と関連した中継器１５０の受信領域１４０内に位置した場合に、基地局１１０は、中継器１５０を経由して受信領域１３０内に位置しない端末機１２４にデータを送信する。本発明の一実施形態として、基地局１１０の受信領域１３０内に位置して基地局１１０から直接にデータを受信することができる端末機１２１、１２２、１２３も、全体の中継システムの性能向上のために、中継器１５０を経由してデータを基地局１１０から受信してもよい。
【００１７】
本明細書では、説明の便宜のために、基地局１１０と端末機１２１、１２２、１２３、１２４として記載したが、「基地局」はユーザデータを送信する装置を、「端末機」はユーザデータを受信する装置を包括する概念として解釈する。従って、本発明は、移動通信システムのダウンリンクだけではなく、アップリンクに適用されてもよい。
【００１８】
基地局１１０は、データを送信する時間に対する情報を含む地図（ＭＡＰ）情報を端末機１２１、１２２、１２３、１２４に送信し、端末機１２１、１２２、１２３、１２４は、受信した地図情報に基づいてデータを受信することができる。
【００１９】
基地局１１０は、端末機１２４に送信するデータを、中継器１５０を経由して送信するため、中継器１５０は、データ及びデータに相応する地図情報を端末機１２４に転送する。地図情報は、中継器１５０がデータを受信するために必要な情報ではないが、複数のデータ又は複数の地図情報を受信した場合、データとどの地図情報が互いに相応するかを判断しなければならない。これをバインディングという。
【００２０】
中継器１５０は、データが中継器１５０から端末機１２４に送信される時刻に対する情報、及び地図情報が中継器１５０から端末機１２４に送信される時刻に対する情報に基づき、互いに相応するデータ及び地図情報をバインディングすることができる。
【００２１】
基地局１１０が送信するデータとデータに相応する地図情報が所定の時間的関連性を有して送信されるとき、データとデータに相応する地図情報は互いに「同期的（ｓｙｎｃｈｒｏｎｏｕｓ）」に送信されるといえる。例えば、基地局１１０は、データを送信する全体時間を「所定の長さの時間区間」で区分し、それぞれの時間区間ごとにデータを送信する場合に、データとデータに相応する地図情報が同じ時間区間内に送信されれば、データとデータに相応する地図情報は同期的に送信されたといえる。また、データとデータに相応する地図情報が互いに異なる時間区間に送信されれば、データとデータに相応する地図情報は非同期的に送信されたといえる。
【００２２】
本実施形態によれば、中継器１５０がデータを送信する全体時間を所定の長さの複数の時間区間に区分し、それぞれの時間区間ごとにデータを送信する場合に、中継器１５０は、中継器１５０から端末機１２４に同じ時間区間に送信されるデータ及び地図情報は互いに相応すると判断し、データ及び地図情報をバインディングすることができる。
【００２３】
基地局１１０が端末機１２４に直接にデータを送信する場合に、端末機１２４は、基地局１１０から受信した地図情報を用いてデータを受信するため、データとデータに相応する地図情報は互いに同期的に送信される。
【００２４】
基地局１１０が中継器１５０を経由して端末機１２４にデータを送信する場合に、基地局は、データだけでなく、データに相応する地図情報も中継器１５０を経由して端末機１２４に送信する。中継器１５０は、地図情報を用いてデータを受信するものではないため、データと地図情報を非同期的又は同期的に受信することができる。中継器１５０は、データと地図情報をバインディングし、データとデータに相応する地図情報を同期的に端末機１２４に送信することができる。
【００２５】
本実施形態によれば、基地局１１０、中継器１５０、及び端末機１２１、１２２、１２３、１２４は、ＭＡＣ階層のＭＡＣデータフレームを用いてデータを送信してもよい。この場合、「所定の長さの時間区間」は、それぞれのＭＡＣデータフレームを送信するために必要な時間として解釈することができる。また、地図情報は、ＭＡＣデータフレームの開始時点から地図情報に相応するデータの送信が開始される時点、又は地図情報に相応するデータが送信される時間の長さを含むことができる。
【００２６】
また、基地局１１０から端末機１２４に送信されるデータは、ＭＡＣデータフレーム内のバーストに含まれて送信されてもよい。以下、本明細書では、本発明の実施形態による基地局１１０、中継器１５０、及び端末機１２１、１２２、１２３、１２４がＭＡＣデータフレームを用いてデータを送信すると仮定し、便宜上これを、「データフレームを用いてデータ又は地図情報を送信する」ということにする。
【００２７】
中継器１５０は、基地局１１０から第１データフレームを用いてデータを受信し、受信したデータを、第３データフレームを用いて端末機１２４に送信する。中継器１５０は、第２データフレームを用いて基地局１１０から中継器１５０と端末機１２４の間の無線リンクに対する地図情報を受信し、第４データフレームを用いて地図情報を端末機１２４に送信する。
【００２８】
地図情報は、データフレーム内でデータを送信するための無線資源に対する情報であるため、中継器１５０から端末機１２４にデータを送信するデータフレーム自体を特定することはできない。
【００２９】
データが中継器１５０から端末機１２４に送信される第３データフレームは、データと関連したデータ送信時刻情報によって決定され、地図情報が中継器１５０から端末機１２４に送信される第４データフレームは、地図情報と関連した地図情報送信時刻情報に基づいて決定されてもよい。本発明の一実施形態によれば、データ送信時刻情報及び地図情報送信時刻情報は、それぞれ第３データフレームと第４データフレーム番号のすべて又は一部を含むことができる。本発明の他の実施形態によれば、データ送信時刻情報は、中継器１５０が第１データフレームを受信した時点と第３データフレームを送信する時点の間に端末機１２４に送信されるデータフレームの数を含み、地図情報送信時刻情報は、中継器１５０が第２データフレームを受信した時点と、第４データフレームを送信する時点の間に端末機１２４に送信されるデータフレームの数を含むことができる。
【００３０】
データと地図情報が互いに相応する場合には、データ及び地図情報と関連した送信時刻情報は互いに関連している。即ち、データと関連したデータ送信時刻情報によって決定された第３データフレームと、地図情報と関連した地図情報送信時刻情報によって決定された第４データフレームは、同じデータフレームである。本発明の一実施形態によれば、中継器１５０は、基地局１１０から互いに連続したそれぞれのデータフレームを用いて複数のデータ及び複数の地図情報を受信するが、地図情報と関連したそれぞれの地図情報送信時刻情報を用いて、複数の地図情報のうちのデータと関連した地図情報をバインディングすることができる。
【００３１】
中継器１５０は、データとデータに相応する地図情報を、第３データフレームを用いて中継器１５０から端末機１２４に同期的に送信することができる。地図情報は、第３データフレームの開始時点から地図情報に相応するデータの送信が開始される時点、又は地図情報に相応するデータが送信される時間の長さを含むことができる。端末機１２４は、第３データフレーム内に含まれた地図情報を用いて地図情報に相応するデータを受信することができる。
【００３２】
図２は、本発明の一実施形態による中継器の構成を示すブロック図である。中継器２００は、受信部２１０と、データフレーム算出部２２０と、送信部２３０とを含む。
【００３３】
受信部２１０は、基地局２４０からデータ及びデータと関連したデータ送信時刻情報を含む第１データフレームを受信する。また、基地局２４０からデータに相応する地図情報及び地図情報と関連した地図情報送信時刻情報を含む第２データフレームを受信する。
【００３４】
本実施形態によれば、地図情報は、中継器２００から端末機２５０にデータが送信される第３データフレーム内で、地図情報に相応するデータの送信が開始される時点、又は地図情報に相応するデータが送信される時間の長さを含むことができる。
【００３５】
本実施形態によれば、基地局２４０は、中継器２００から端末機２５０にデータが送信される時刻に対する情報を含むデータ送信時刻情報を中継器２００に送信することができる。基地局２４０は、中継器２００から端末機２５０に地図情報が送信される時刻に対する情報を含む地図情報送信時間情報を中継器２００に送信することができる。
【００３６】
データフレーム算出部２２０は、データ送信時刻情報に基づいて端末機２５０にデータを送信するための第３データフレームを算出し、地図情報送信時刻情報に基づいて端末機２５０に地図情報を送信するための第４データフレームをそれぞれ算出する。
【００３７】
送信部２３０は、第３データフレームを用いてデータを端末機２５０に送信し、第４データフレームを用いて地図情報を端末機２５０に送信する。
【００３８】
本実施形態によれば、データ送信時刻情報は、データが中継器２００から端末機２５０に送信される第３データフレームのフレーム番号のすべて又は一部を含むことができる。地図情報送信時刻情報は、地図情報が中継器２００から端末機２５０に送信される第４データフレームのフレーム番号のすべて又は一部を含むことができる。
【００３９】
本実施形態によれば、データ送信時刻情報は、データが中継器２００から端末機２５０に送信される第３データフレームのフレーム番号に対する所定の長さの下位ビット（ＬＳＢ）のみを含み、地図情報送信時刻情報は、地図情報が中継器２００から端末機２５０に送信される第４データフレームのフレーム番号に対する所定の長さの下位ビット（ＬＳＢ）のみを含むことができる。データフレームは、それぞれに割り当てられたデータフレーム番号によって区別されるため、互いに異なるデータフレームを区別できるように、データフレーム番号は、十分な長さを有さなければならない。本実施形態によれば、それぞれのデータフレームに割り当てられたデータフレームの番号を３２ビット又は６４ビットで表現することができる。基地局２４０がデータと関連したデータ送信時刻情報又は地図情報と関連した地図情報送信時刻情報として６４ビットのデータフレーム番号を送信すれば、無線チャンネルの帯域幅を浪費するようになる。
【００４０】
中継器２００が第１データフレームを用いて基地局２４０からデータを受信する時点と、受信したデータを端末機２５０に送信する時点には大きな差がない。中継器２００は、データ送信時刻情報を考慮して数個のフレームの長さに該当する時間内に第１データフレームを用いて受信したデータをバッファに格納し、第３データフレームを用いてバッファに格納されたデータを送信する。第１データフレームと第３データフレームの差は数個のデータフレームの長さに過ぎないため、６４ビットのデータフレーム番号ではなく下位の数個のビットのみを送信しても、第３データフレームを正確に特定することができる。
【００４１】
中継器２００は、第１データフレームを用いてデータを受信した後から第３データフレームを用いてデータを送信するまで、データをバッファに格納する。データ送信時刻情報は、データが中継器２００のバッファに格納される時間の長さを含むことができる。
【００４２】
本実施形態によれば、データ送信時刻情報は、第１データフレームを受信した時点と第３データフレームを送信する時点の間に端末機２５０に送信されるデータフレームの数を含むことができる。データ送信時刻情報は、第１データフレームと第３データフレームの間の相対的なフレーム番号の差を含むことができる。
【００４３】
本実施形態によれば、地図情報送信時刻情報も、基地局２４０から中継器２００の間の無線チャンネルの帯域幅を浪費しないために、第４データフレームのデータフレーム番号に対する所定の長さの下位ビットのみを含むことができる。
【００４４】
図３は、本発明の一実施形態による別個のデータフレームを用いてデータと地図情報を中継器に送信する動作を示す図である。
【００４５】
基地局２４０は、第１データフレーム３１０を用いてデータを送信する。基地局２４０は、第２データフレーム３２０を用いて地図情報を送信する。本実施形態によれば、第１データフレーム３１０及び第２データフレーム３２０は、基地局２４０と中継器２００の間の制御信号送信のための制御信号送信領域３１１、３２１及びデータ送信のためのデータ送信領域３１２、３２２をそれぞれ含むことができる。
【００４６】
本実施形態によれば、データ及び地図情報は、データ送信領域３１２、３２２に含まれて送信することができる。
【００４７】
第２データフレーム３２０のデータ送信領域３２２はＭＡＣプロトコルデータユニット（ＭＰＤＵ：ＭＡＣ  Ｐｒｏｔｏｃｏｌ  Ｄａｔａ  Ｕｎｉｔ）を含み、ＭＡＣプロトコルデータユニットは地図情報を含むことができる。
【００４８】
中継器２００は、中継器２００と端末機２５０の間の無線リンクに対するデータ送信時刻情報及び地図情報送信時刻情報を受信し、受信したデータ送信時刻情報及び地図情報送信時刻情報に基づいてデータ及び地図情報をバインディングすることができる。
【００４９】
中継器２００は、第３データフレーム３５０を用いてデータ及び地図情報を端末機２５０に送信する。第３データフレーム３５０は、中継器２００と端末機２５０の間の制御信号送信のための制御信号送信領域３５１及びデータ送信のためのデータ送信領域３５２を含むことができる。
【００５０】
本実施形態によれば、第３データフレームの制御信号送信領域３５１は地図情報要素（ＭＡＰ  ＩＥ）を含み、地図情報は地図情報要素を用いて端末機２５０に送信することができる。データは、データ送信領域３５２を用いて端末機２５０に送信することができる。
【００５１】
端末機２５０は、第３データフレームの制御信号送信領域３５１に含まれた地図情報を受信３６１する。端末機２５０は、地図情報を用いてデータを受信３６２する。
【００５２】
本実施形態によれば、第１データフレーム及び第２データフレームは、中継ＭＡＣヘッダ（Ｒｅｌａｙ  ＭＡＣ  ｈｅａｄｅｒ）、サブヘッダ（ｓｕｂｈｅａｄｅｒ）、又は拡張サブヘッダ（ｅｘｔｅｎｄｅｄ  ｓｕｂｈｅａｄｅｒ）のうちの少なくともいずれか１つを含み、データ送信時刻情報は、第１データフレームに含まれた中継ＭＡＣヘッダ、サブヘッダ、又は拡張サブヘッダに、地図情報送信時間情報は、第２データフレームに含まれた中継ＭＡＣヘッダ、サブヘッダ、又は拡張サブヘッダに含まれて基地局から中継器に送信することができる。
【００５３】
データ送信時刻情報は、第１データフレーム内の地図情報要素に含まれて受信することができ、地図情報送信時刻情報は、第２データフレーム内の地図情報要素に含まれて受信することができる。
【００５４】
図４及び図５は、本発明の一実施形態による複数の中継器を経由してデータを送信する中継システムの動作を示す図である。
【００５５】
基地局４１１は、第１データフレームを用いてデータを第１中継器４１２に送信し、第２データフレームを用いて地図情報を第１中継器４１２に送信することができる。地図情報は、第１中継器４１２から第２中継器４１３の間の無線リンクでデータが送信される時刻に対する情報を含む。第１中継器４１２は、地図情報を用いて基地局４１１からデータを受信するものではないため、データ及びデータに相応する地図情報を非同期的に受信することができる。基地局４１１は、データ送信時刻情報及び地図情報送信時刻情報を第１中継器４１２に送信し、第１中継器４１２は、データ送信時刻情報及び地図情報送信時刻情報に基づいて互いに相応するデータ及び地図情報をバインディングすることができる。
【００５６】
本実施形態によれば、第１中継器４１２は、第３データフレーム４２０を用いてデータ及び地図情報を第２中継器４１３に送信することができる。地図情報は第３データフレーム４２０内の制御信号送信領域４２１に含まれて送信され、データはデータ送信領域４２２に含まれて送信される。
【００５７】
第２中継器４１３は、地図情報を用いて第１中継器４１２からデータを受信することができる。
【００５８】
本実施形態によれば、データは、第２中継器４１３と端末機４１４の間の無線リンクでデータが送信される時刻に対する情報を含む第２地図情報を含むことができる。端末機４１４は、第２地図情報を用いて第２中継器４１３からデータを受信する。
【００５９】
本実施形態によれば、第２中継器４１３は、第５データフレーム４４０を用いてデータ及び第２地図情報を端末機４１４に送信することができる。第５データフレーム４４０は、制御信号送信領域４４１に第２地図情報を含み、データ送信領域４４２にデータを含むことができる。端末機４１４は、第２地図情報を用いて第２中継器４１３からデータを受信することができる。
【００６０】
基地局４１１は、第１中継器４１２にデータ及び地図情報を送信する。基地局４１１は、第１データフレームを用いてデータを第１中継器４１２に送信し、第２データフレームを用いて地図情報を第１中継器４１２に送信することができる。第１中継器４１２は、基地局４１１と第１中継器４１２の間の無線リンクに対するデータ送信時刻情報及び地図情報送信時刻情報を受信し、受信したデータ送信時刻情報及び地図情報送信時刻情報に基づいてデータ及び地図情報をバインディングすることができる。
【００６１】
本実施形態によれば、第１中継器４１２は、第３データフレーム４２０を用いてデータ及び地図情報を第２中継器４１３に送信する。地図情報は、第３データフレーム４２０内の制御信号送信領域４２１に含まれて送信され、データはデータ送信領域４２２に含まれて送信される。
【００６２】
第２中継器４１３は、地図情報を受信４３１し、地図情報を用いてデータを受信４３２する。
【００６３】
本実施形態によれば、データは、第２中継４１３と端末機４１４の間の無線リンクに対する第２地図情報を含むことができる。第２地図情報は、第２地図情報が送信される送信時刻と関連した第２地図情報送信時刻情報を更に含み、第２中継器４１３は、第２地図情報送信時刻情報に基づいて第２地図情報を端末機４１４に送信することができる。
【００６４】
本発明の他の実施形態によれば、第１中継器４１２は、第３データフレーム４２０を用いてデータを第２中継器４１３に送信し、第４データフレームを用いて第２地図情報を第２中継器４１３に送信することができる。第２中継器は、第２地図情報を用いてデータを受信するものではないため、データ及びデータに相応する第２地図情報は非同期的に第２中継器に送信することができる。
【００６５】
本発明の一実施形態によれば、第２地図情報は、第２中継器４１３から端末機４１４に送信される第５データフレーム４４０内の制御信号送信領域４４１に含まれて送信することができる。端末機４１４は、第５データフレーム４５０内に含まれた第２地図情報を受信４５１し、第２地図情報を用いて第５データフレーム４５０内のデータ送信領域４４２に含まれたデータを受信４５２することができる。
【００６６】
本発明の他の実施形態によれば、第１中継器４１２は、第３データフレームを用いてデータを第２中継器４１２に送信し、第４データフレームを用いて第３地図情報を第２中継器４１２に送信することができる。第２中継器４１３は、第２地図情報を用いて第１中継器４１２からデータを受信し、データ送信時刻情報及び第３地図情報と関連した地図情報送信時刻情報に基づいてデータと第３地図情報をバインディングすることができる。第２中継器４１３は、第３地図情報を用いてデータを端末機４１４に送信することができる。
【００６７】
図４では、基地局４１１が第１中継器４１２及び第２中継器４１３を経由して端末機４１４にデータを送信する実施形態を示したが、本発明の他の実施形態によれば、基地局４１１は、３つ以上の中継器を経由してデータを端末機４１４に送信することができる。この場合に、それぞれの中継器が次の中継器に送信するデータ及びデータに相応する地図情報は、データ送信時刻情報及び地図情報送信時刻情報に基づいてバインディングすることができる。
【００６８】
図６は、本発明の一実施形態による基地局の構成を示すブロック図である。基地局６００は、無線資源割当部６１０及び送信部６２０を含む。本発明の他の実施形態による基地局６００は、追加の異なるユニットを含むことができる。
【００６９】
無線資源割当部６１０は、中継器６３０と端末機６４０の間の無線リンクに対してデータの送信が開始される時点、又はデータが送信される時間の長さを決定する。本実施形態によれば、無線資源割当部６１０は、基地局６００、中継器６３０、及び端末機６４０の相互間を連結する無線リンクのうちの少なくとも１つ以上の無線リンクの状態に基づいてデータを送信するための時間区間を決定することができる。
【００７０】
送信部６２０は、データ及びデータと関連したデータ送信時刻情報を含む第１データフレームを中継器に送信する。送信部６２０は、データに相応する地図情報及び地図情報と関連した地図情報送信時刻情報を含む第２データフレームを中継器に送信する。地図情報は、中継器６３０と端末機６４０の間の無線リンクに対してデータを送信する時間区間に対する情報を含む。中継器６３０は、データ送信時刻情報及び地図情報送信時間情報に基づいて基地局６００から受信したデータ及び地図情報をバインディングする。
【００７１】
データは、データ送信時刻情報に相応する第３データフレームに含まれて中継器６３０から端末機６４０に送信される。
【００７２】
本実施形態によれば、地図情報は、第３データフレームの開始時点から地図情報に相応するデータの送信が開始される時点、又は地図情報に相応するデータが送信される時間の長さを含むことができる。また、データを受信する端末機６４０の識別子を更に含むことができる。
【００７３】
本実施形態によれば、第１データフレーム又は第２データフレームは、基地局６００と中継器６３０の間の制御信号送信のための制御信号送信領域とデータ送信のためのデータ送信領域を含むことができる。本実施形態によれば、データ送信領域はＭＡＣプロトコルデータユニットを含み、ＭＡＣプロトコルデータユニットは地図情報を含むことができる。地図情報は、第２データフレーム内のデータ領域に含まれて基地局６００から中継器６３０に送信される。
【００７４】
本実施形態によれば、第１データフレーム及び第２データフレームは、中継ＭＡＣヘッダ、サブヘッダ、又は拡張サブヘッダのうちの少なくともいずれか１つを含み、データ送信時刻情報は、第１データフレームに含まれた中継ＭＡＣヘッダ、サブヘッダ、又は拡張サブヘッダのうちのいずれか１つに含まれ、地図情報送信時刻情報は、第２データフレームに含まれた中継ＭＡＣヘッダ、サブヘッダ、又は拡張サブヘッダのうちのいずれか１つに含まれて中継器６３０に送信することができる。
【００７５】
本実施形態によれば、第１データフレーム及び第２データフレームは地図情報要素を含み、データ送信時刻情報は第１データフレームに含まれた地図情報要素に含まれ、地図情報送信時刻情報は第２データフレームに含まれた地図情報要素に含まれて中継器５３０に送信することができる。
【００７６】
図７は、本発明の一実施形態によるデータを転送する方法を示すフローチャートである。
【００７７】
ステップＳ７１０では、基地局からデータ及びデータと関連したデータ送信時刻情報を含む第１データフレームを受信する。
【００７８】
ステップＳ７２０では、基地局からデータに相応する地図情報及び地図情報と関連した地図情報送信時刻情報を含む第２データフレームを受信する。
【００７９】
ステップＳ７３０では、端末機にデータを送信するための第３データフレームを算出する。
【００８０】
本実施形態によれば、第１データフレーム又はデータ送信時刻情報に基づいて第３データフレームを算出することができる。地図情報は、中継器から端末機にデータが送信される第３データフレームの開始時点から地図情報に相応するデータの送信が開始される時点、又は地図情報に相応するデータが送信される時間の長さを含むことができる。地図情報は、データが送信される第３データフレームを特定しない。本実施形態によれば、地図情報は、端末機の識別子を更に含むことができる。
【００８１】
データ送信時刻情報は、データが中継器から端末機に送信される時点に対する情報を含む。地図情報と関連した地図情報送信時刻情報は、地図情報が中継器から端末機に送信される時点に対する情報を含む。本実施形態によれば、第１データフレームのフレーム番号又はデータ送信時刻情報に基づいて第３データフレームを算出することができる。データ送信時刻情報は、第３データフレームのフレーム番号を含むことができる。
【００８２】
ステップＳ７４０では、第２データフレーム又は地図情報送信時刻情報に基づいて第４データフレームを算出することができる。
【００８３】
本実施形態によれば、データ送信時刻情報は、第３データフレームのフレーム番号のうちの所定の長さの下位ビット（ＬＳＢ）のみを含み、地図情報送信時刻情報は、第４データフレームのフレーム番号のうちの所定の長さの下位ビット（ＬＳＢ）のみを含むことができる。基地局から中継器にデータ又は地図情報が送信される時刻と中継器から端末機にデータ又は地図情報が送信される時刻には互いに大きい差がなく、わずか数個のデータフレームの時間の長さの差が生じるだけである。従って、データフレームの全体フレーム番号を送信せずに所定の長さの下位ビットのみを送信しても、中継器はデータを受信した第１データフレームのフレーム番号を考慮して第３データフレームのフレーム番号を算出するか、又は第２データフレームのフレーム番号を考慮して第４フレームのフレーム番号を算出することができる。
【００８４】
本実施形態によれば、第２データフレームは、基地局と中継器の間の制御信号を送信するための制御信号送信領域及びデータを送信するためのデータ送信領域を含み、第４データフレームは、中継器と端末機の間の制御信号を送信するための制御信号送信領域及びデータを送信するためのデータ送信領域を含むことができる。第２データフレームのデータ送信領域はＭＡＣプロトコルデータユニットを含み、ＭＡＣプロトコルデータユニットは地図情報を含むことができる。地図情報は、第２データフレームのデータ送信領域に含まれて基地局から中継器に送信される。本実施形態によれば、第４データフレームの制御信号送信領域は地図情報要素を含み、中継器は地図情報要素を用いて地図情報を端末機に送信することができる。
【００８５】
本実施形態によれば、第１データフレーム及び第２データフレームは、中継ＭＡＣヘッダ、サブヘッダ、又は拡張サブヘッダのうちの少なくともいずれか１つを含み、データ送信時刻情報は、第１データフレームに含まれた中継ＭＡＣヘッダ、サブヘッダ、又は拡張サブヘッダに、地図情報送信時間情報は、第２データフレームに含まれた中継ＭＡＣヘッダ、サブヘッダ、又は拡張サブヘッダに含まれて基地局から中継器に送信することができる。
【００８６】
本実施形態によれば、第１データフレーム及び第２データフレームは地図情報要素を含み、データ送信時刻情報は第１データフレームに含まれた地図情報要素に含まれ、地図情報送信時刻情報は第２データフレームに含まれた地図情報要素に含まれて中継器に送信することができる。
【００８７】
ステップＳ７５０では、第３データフレーム及び第４データフレームが同じ場合、地図情報を用いてデータを端末機に送信する。
【００８８】
中継器は、データ送信時刻情報及び地図情報送信時刻情報に基づいてデータ及び地図情報をバインディングすることができる。
【００８９】
本実施形態によれば、送信時刻情報に基づいて決定された第３データフレームと第４データフレームが同じデータフレームである場合には、データ及び地図情報は互いに相応するものと判断し、バインディングすることができる。
【００９０】
逆に、データと地図情報とが相違する場合、中継器は、地図情報を用いてデータを端末機に送信することができる。
【００９１】
本発明は、実施形態としてコンピュータ読み取り可能な記録媒体に記録することができる。本実施形態は、コンピュータにより実現される多様な動作を実行するためのプログラム命令を含むコンピュータ読取可能な記録媒体を含む。記録媒体は、プログラム命令、データファイル、データ構造などを単独又は組み合わせて含むこともでき、記録媒体及びプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、及びＲＯＭ、ＲＡＭ、フラッシュメモリなどのようなプログラム命令を保存して実行するように特別に構成されたハードウェア装置が含まれる。また、記録媒体は、プログラム命令、データ構造などを保存する信号を送信する搬送波を含む光又は金属線、導波管などの送信媒体により具現することもできる。プログラム命令の例としては、コンパイラによって生成されるような機械語コードだけでなく、インタプリタなどを用いてコンピュータによって実行され得る高級言語コードを含む。本発明で説明した移動端末機又は基地局の動作のすべて又は一部がコンピュータプログラムで実現される場合、このコンピュータプログラムを格納したコンピュータ読み取り可能な記録媒体も本発明に含まれる。
【００９２】
以上、本発明の実施形態について説明したが、本発明は、上述の実施形態に限定されるものではなく、本発明の技術的範囲から逸脱しない範囲内で多様に変更実施することが可能である。
【符号の説明】
【００９３】
１１０、２４０、４１１、６００    基地局
１２１、１２２、１２３、１２４、２５０、４１４、６４０    端末機
１３０、１４０    受信領域
１５０、２００、６３０    中継器
２１０    受信部
２２０    データフレーム算出部
２３０、６２０    送信部
３１０    第１データフレーム
３１１、３２１、３５１、４２１、４４１    制御信号送信領域
３１２、３２２、３５２、４２２、４４２    データ送信領域
３２０    第２データフレーム
３５０、４２０    第３データフレーム
３６１、４３１、４５１    地図情報を受信
３６２、４３２、４５２    データを受信
４１２    第１中継器
４１３    第２中継器
４４０、４５０    第５データフレーム
６１０    無線資源割当部
【図１】
2010532615.tif 000003
【図２】
2010532615.tif 000004
【図３】
2010532615.tif 000005
【図４】
2010532615.tif 000006
【図５】
2010532615.tif 000007
【図６】
2010532615.tif 000008
【図７】
2010532615.tif 000009
【国際調査報告】
2010532615.tif 000010
2010532615.tif 000011